【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
以下の式の、カルボン酸基を有する銅フタロシアニン共力剤。
【化１】
2014074167.tif 000001
〔式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ場合により存在するが、但し、Ａ、Ｂ、Ｃ、Ｄ、Ａ’、Ｂ’、Ｃ’、Ｄ’、Ａ’’、Ｂ’’、Ｃ’’、Ｄ’’、Ａ’’’、Ｂ’’’、Ｃ’’’およびＤ’’’のうち、少なくとも１つは−ＣＯＯＨまたはＲ−ＣＯＯＨであり、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、−ＣＯＯＨおよびＲ−ＣＯＯＨからなる群から選択され、ここで、Ｒは、（ｉ）直鎖または分枝鎖、飽和または不飽和、環状または非環状、置換または非置換のアルキルであってもよく、アルキル基中に場合によりヘテロ原子が存在していてもよい、アルキル基、（ｉｉ）置換または非置換のアリールであってもよく、アリール基中に場合によりヘテロ原子が存在していてもよい、アリール基、（ｉｉｉ）置換または非置換のアリールアルキルであってもよく、アリールアルキルのアルキル部分は、直鎖または分枝鎖、飽和または不飽和、環状または非環状、置換または非置換であってもよく、場合により、アリールアルキルのアリール部分またはアルキル部分のいずれかにヘテロ原子が存在していてもよい、アリールアルキル基、（ｉｖ）置換または非置換のアルキルアリールであってもよく、アルキルアリールのアルキル部分が、直鎖または分枝鎖、飽和または不飽和、環状または非環状、置換または非置換であってもよく、場合により、アルキルアリール基のアルキル部分またはアリール部分のいずれかにヘテロ原子が存在していてもよい、アルキルアリール基である〕
【請求項２】
以下の式
【化２】
2014074167.tif 000002
〔式中、Ａ、Ｂ、ＣおよびＤは、それぞれ場合により存在するが、但し、Ａ、Ｂ、ＣおよびＤの少なくとも１つが存在し、Ａ、Ｂ、ＣおよびＤは、それぞれ独立して、−ＣＯＯＨおよびＲ−ＣＯＯＨからなる群から選択され、Ｒは、（ｉ）直鎖または分枝鎖、飽和または不飽和、環状または非環状、置換または非置換のアルキルであってもよく、アルキル基中に場合によりヘテロ原子が存在していてもよい、アルキル基、（ｉｉ）置換または非置換のアリールであってもよく、アリール基中に場合によりヘテロ原子が存在していてもよい、アリール基、（ｉｉｉ）置換または非置換のアリールアルキルであってもよく、アリールアルキルのアルキル部分は、直鎖または分枝鎖、飽和または不飽和、環状または非環状、置換または非置換であってもよく、場合により、アリールアルキルのアリール部分またはアルキル部分のいずれかにヘテロ原子が存在していてもよい、アリールアルキル基、（ｉｖ）置換または非置換のアルキルアリールであってもよく、アルキルアリールのアルキル部分が、直鎖または分枝鎖、飽和または不飽和、環状または非環状、置換または非置換であってもよく、場合により、アルキルアリール基のアルキル部分またはアリール部分のいずれかにヘテロ原子が存在していてもよい、アルキルアリール基である〕
を有する、請求項１に記載の銅フタロシアニン共力剤。
【請求項３】
以下の式
【化３】
2014074167.tif 000003
〔Ａ、Ｂ、ＣおよびＤは、それぞれ場合により存在するが、但し、Ａ、Ｂ、ＣおよびＤのうち、少なくとも１つが存在し、Ａ、Ｂ、ＣおよびＤが、以下の式
【化４】
2014074167.tif 000004
を有する〕
を有する、請求項１に記載の銅フタロシアニン共力剤。
【請求項４】
以下の式
【化５】
2014074167.tif 000005
【化６】
2014074167.tif 000006
を有する、請求項１に記載の銅フタロシアニン共力剤。
【請求項５】
以下の式
【化７】
2014074167.tif 000007
を有する、請求項１に記載の銅フタロシアニン共力剤。
【請求項６】
顔料と；
担体と；
分散剤と；
以下の式の、カルボン酸基を有する銅フタロシアニン共力剤とを含む、転相インク組成物。
【化８】
2014074167.tif 000008
〔式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ場合により存在するが、但し、Ａ、Ｂ、Ｃ、Ｄ、Ａ’、Ｂ’、Ｃ’、Ｄ’、Ａ’’、Ｂ’’、Ｃ’’、Ｄ’’、Ａ’’’、Ｂ’’’、Ｃ’’’およびＤ’’’のうち、少なくとも１つは、−ＣＯＯＨまたはＲ−ＣＯＯＨであり、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、−ＣＯＯＨおよびＲ−ＣＯＯＨからなる群から選択され、ここで、Ｒは、（ｉ）直鎖または分枝鎖、飽和または不飽和、環状または非環状、置換または非置換のアルキルであってもよく、アルキル基中に場合によりヘテロ原子が存在していてもよい、アルキル基、（ｉｉ）置換または非置換のアリールであってもよく、アリール基中に場合によりヘテロ原子が存在していてもよい、アリール基、（ｉｉｉ）置換または非置換のアリールアルキルであってもよく、アリールアルキルのアルキル部分は、直鎖または分枝鎖、飽和または不飽和、環状または非環状、置換または非置換であってもよく、場合により、アリールアルキルのアリール部分またはアルキル部分のいずれかにヘテロ原子が存在していてもよい、アリールアルキル基、（ｉｖ）置換または非置換のアルキルアリールであってもよく、アルキルアリールのアルキル部分が、直鎖または分枝鎖、飽和または不飽和、環状または非環状、置換または非置換であってもよく、場合により、アルキルアリール基のアルキル部分またはアリール部分のいずれかにヘテロ原子が存在していてもよい、アルキルアリール基である〕
【請求項７】
前記銅フタロシアニン共力剤が、以下の式
【化９】
2014074167.tif 000009
〔式中、Ａ、Ｂ、ＣおよびＤは、それぞれ場合により存在するが、但し、Ａ、Ｂ、ＣおよびＤの少なくとも１つが存在し、Ａ、Ｂ、ＣおよびＤは、それぞれ独立して、−ＣＯＯＨおよびＲ−ＣＯＯＨからなる群から選択され、Ｒは、（ｉ）直鎖または分枝鎖、飽和または不飽和、環状または非環状、置換または非置換のアルキルであってもよく、アルキル基中に場合によりヘテロ原子が存在していてもよい、アルキル基、（ｉｉ）置換または非置換のアリールであってもよく、アリール基中に場合によりヘテロ原子が存在していてもよい、アリール基、（ｉｉｉ）置換または非置換のアリールアルキルであってもよく、アリールアルキルのアルキル部分は、直鎖または分枝鎖、飽和または不飽和、環状または非環状、置換または非置換であってもよく、場合により、アリールアルキルのアリール部分またはアルキル部分のいずれかにヘテロ原子が存在していてもよい、アリールアルキル基、（ｉｖ）置換または非置換のアルキルアリールであってもよく、アルキルアリールのアルキル部分が、直鎖または分枝鎖、飽和または不飽和、環状または非環状、置換または非置換であってもよく、場合により、アルキルアリール基のアルキル部分またはアリール部分のいずれかにヘテロ原子が存在していてもよい、アルキルアリール基である〕
を有する、請求項６に記載の転相インク組成物。
【請求項８】
前記銅フタロシアニン共力剤は、以下の式
【化１０】
2014074167.tif 000010
〔Ａ、Ｂ、ＣおよびＤは、それぞれ場合により存在するが、但し、Ａ、Ｂ、ＣおよびＤのうち、少なくとも１つが存在し、Ａ、Ｂ、ＣおよびＤが、以下の式
【化１１】
2014074167.tif 000011
を有する〕
を有する、請求項６に記載の転相インク組成物。
【請求項９】
前記銅フタロシアニン共力剤は、以下の式
【化１２】
2014074167.tif 000012
を有する、請求項６に記載の転相インク組成物。
【請求項１０】
前記顔料が、シアン、グリーン、ブルー、ブラック、カーボンブラック、Ｃ．Ｉ．Ｐｉｇｍｅｎｔ  Ｂｌｕｅ  １５：０、Ｃ．Ｉ．Ｐｉｇｍｅｎｔ  Ｂｌｕｅ  １５：１、Ｃ．Ｉ．Ｐｉｇｍｅｎｔ  Ｂｌｕｅ  １５：２、Ｃ．Ｉ．Ｐｉｇｍｅｎｔ  Ｂｌｕｅ  １５：３、Ｃ．Ｉ．Ｐｉｇｍｅｎｔ  Ｂｌｕｅ  １５：４、Ｃ．Ｉ．Ｐｉｇｍｅｎｔ  Ｂｌｕｅ  １５：５、Ｃ．Ｉ．Ｐｉｇｍｅｎｔ  Ｂｌｕｅ  １５：６、Ｃ．Ｉ．Ｐｉｇｍｅｎｔ  Ｇｒｅｅｎ  ７、Ｃ．Ｉ．Ｐｉｇｍｅｎｔ  Ｇｒｅｅｎ  ３６、Ｃ．Ｉ．Ｐｉｇｍｅｎｔ  Ｂｌａｃｋ  ７、銅フタロシアニンならびにこれらの混合物および組み合わせからなる群から選択される、請求項６に記載の転相インク組成物。
【請求項１１】
前記顔料が、シアン顔料である、請求項６に記載の転相インク組成物。
【請求項１２】
前記分散剤が、以下の式
【化１３】
2014074167.tif 000013
を有する化合物またはこれらの混合物であり、ＲとＲ’は、同じであるか、または異なっており、ＲおよびＲ’は、独立して、３７個から４７個の炭素原子を有する直鎖アルキル基から選択され、ｍは、１〜３０の整数である、請求項６に記載の転相インク組成物。
【請求項１３】
顔料、担体、分散剤、以下の式の、カルボン酸基を有する銅フタロシアニン共力剤を含む転相インク組成物をインクジェット印刷装置に組み込むことと、
【化１４】
2014074167.tif 000014
〔式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ場合により存在するが、但し、Ａ、Ｂ、Ｃ、Ｄ、Ａ’、Ｂ’、Ｃ’、Ｄ’、Ａ’’、Ｂ’’、Ｃ’’、Ｄ’’、Ａ’’’、Ｂ’’’、Ｃ’’’およびＤ’’’のうち、少なくとも１つは−ＣＯＯＨまたはＲ−ＣＯＯＨであり、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、−ＣＯＯＨおよびＲ−ＣＯＯＨからなる群から選択され、ここで、Ｒは、（ｉ）直鎖または分枝鎖、飽和または不飽和、環状または非環状、置換または非置換のアルキルであってもよく、アルキル基中に場合によりヘテロ原子が存在していてもよい、アルキル基、（ｉｉ）置換または非置換のアリールであってもよく、アリール基中に場合によりヘテロ原子が存在していてもよい、アリール基、（ｉｉｉ）置換または非置換のアリールアルキルであってもよく、アリールアルキルのアルキル部分は、直鎖または分枝鎖、飽和または不飽和、環状または非環状、置換または非置換であってもよく、場合により、アリールアルキルのアリール部分またはアルキル部分のいずれかにヘテロ原子が存在していてもよい、アリールアルキル基、（ｉｖ）置換または非置換のアルキルアリールであってもよく、アルキルアリールのアルキル部分が、直鎖または分枝鎖、飽和または不飽和、環状または非環状、置換または非置換であってもよく、場合により、アルキルアリール基のアルキル部分またはアリール部分のいずれかにヘテロ原子が存在していてもよい、アルキルアリール基である〕
前記インク組成物を溶融させることと、
溶融したインクの液滴を基材の上に画像のパターンになるように放出させることとを含む、方法。
【請求項１４】
前記銅フタロシアニン共力剤は、以下の式
【化１５】
2014074167.tif 000015
〔Ａ、Ｂ、ＣおよびＤは、それぞれ場合により存在するが、但し、Ａ、Ｂ、ＣおよびＤのうち、少なくとも１つが存在し、Ａ、Ｂ、ＣおよびＤが、以下の式
【化１６】
2014074167.tif 000016
を有する〕
を有する、請求項１３に記載の方法。
【請求項１５】
顔料と、担体と、分散剤と、以下の式の、カルボン酸基を有する銅フタロシアニン共力剤とを含む、転相インク組成物を含有する、インクジェットプリンターのスティックまたはペレット。
【化１７】
2014074167.tif 000017
〔式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ場合により存在するが、但し、Ａ、Ｂ、Ｃ、Ｄ、Ａ’、Ｂ’、Ｃ’、Ｄ’、Ａ’’、Ｂ’’、Ｃ’’、Ｄ’’、Ａ’’’、Ｂ’’’、Ｃ’’’およびＤ’’’のうち、少なくとも１つは−ＣＯＯＨまたはＲ−ＣＯＯＨであり、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、−ＣＯＯＨおよびＲ−ＣＯＯＨからなる群から選択され、ここで、Ｒは、（ｉ）直鎖または分枝鎖、飽和または不飽和、環状または非環状、置換または非置換のアルキルであってもよく、アルキル基中に場合によりヘテロ原子が存在していてもよい、アルキル基、（ｉｉ）置換または非置換のアリールであってもよく、アリール基中に場合によりヘテロ原子が存在していてもよい、アリール基、（ｉｉｉ）置換または非置換のアリールアルキルであってもよく、アリールアルキルのアルキル部分は、直鎖または分枝鎖、飽和または不飽和、環状または非環状、置換または非置換であってもよく、場合により、アリールアルキルのアリール部分またはアルキル部分のいずれかにヘテロ原子が存在していてもよい、アリールアルキル基、（ｉｖ）置換または非置換のアルキルアリールであってもよく、アルキルアリールのアルキル部分が、直鎖または分枝鎖、飽和または不飽和、環状または非環状、置換または非置換であってもよく、場合により、アルキルアリール基のアルキル部分またはアリール部分のいずれかにヘテロ原子が存在していてもよい、アルキルアリール基である〕
【請求項１６】
前記銅フタロシアニン共力剤は、以下の式
【化１８】
2014074167.tif 000018
〔式中、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ場合により存在するが、但し、Ａ、Ｂ、Ｃ、Ｄ、Ａ’、Ｂ’、Ｃ’、Ｄ’、Ａ’’、Ｂ’’、Ｃ’’、Ｄ’’、Ａ’’’、Ｂ’’’、Ｃ’’’およびＤ’’’のうち、少なくとも１つは−ＣＯＯＨまたはＲ−ＣＯＯＨであり、Ａ、Ｂ、ＣおよびＤ、Ａ’、Ｂ’、Ｃ’およびＤ’、Ａ’’、Ｂ’’、Ｃ’’およびＤ’’、Ａ’’’、Ｂ’’’、Ｃ’’’およびＤ’’’は、それぞれ独立して、水素、−ＣＯＯＨおよびＲ−ＣＯＯＨからなる群から選択され、ここで、Ｒは、（ｉ）直鎖または分枝鎖、飽和または不飽和、環状または非環状、置換または非置換のアルキルであってもよく、アルキル基中に場合によりヘテロ原子が存在していてもよい、アルキル基、（ｉｉ）置換または非置換のアリールであってもよく、アリール基中に場合によりヘテロ原子が存在していてもよい、アリール基、（ｉｉｉ）置換または非置換のアリールアルキルであってもよく、アリールアルキルのアルキル部分は、直鎖または分枝鎖、飽和または不飽和、環状または非環状、置換または非置換であってもよく、場合により、アリールアルキルのアリール部分またはアルキル部分のいずれかにヘテロ原子が存在していてもよい、アリールアルキル基、（ｉｖ）置換または非置換のアルキルアリールであってもよく、アルキルアリールのアルキル部分が、直鎖または分枝鎖、飽和または不飽和、環状または非環状、置換または非置換であってもよく、場合により、アルキルアリール基のアルキル部分またはアリール部分のいずれかにヘテロ原子が存在していてもよい、アルキルアリール基である〕
を有する、請求項１５に記載のインクジェットプリンターのスティックまたはペレット。
【手続補正２】
【補正対象書類名】明細書
【補正対象項目名】発明の名称
【補正方法】変更
【補正の内容】
【発明の名称】新規共力剤、新規共力剤を含有する転相インク組成物、インクジェット印刷方法、およびインクジェットプリンターのスティックまたはペレット